(57)【要約】【課題】コンクリートの打設量を少なく抑えることができ、型枠の変形もなく、しかも、逆スラブ基礎を短工期で施工することができる逆スラブ基礎の施工方法等を提供する。【解決手段】立ち上がり部２のコンクリート成形用の型枠６，７を設置した後、一方の型枠６の外側に土砂を投入すると共に、型枠６に隣接する部分の土砂５を型枠６とは別の土留め手段８で土留め状態にし、次いで、投入土５を転圧等により上から圧して締め固め、しかる後、立ち上がり部４及び平板部５のコンクリートを一括して打ち込む。土留め手段８はジオテキスタイルからなり、土留めを、該ジオテキスタイル８を用い、型枠６の隣接部分において、土砂５ａ，５ｂ，…の投入とジオテキスタイル８の折返しを交互に繰り返すことで行うとよい。【選択図】      図１
2005105625.tif 000002
【特許請求の範囲】
【請求項１】
立ち上がり部コンクリート成形用の両側の型枠を設置した後、
いずれか少なくとも一方の型枠の外側に土砂を投入すると共に、型枠に隣接する部分の土砂を型枠とは別の土留め手段を用いて土留め状態にし、次いで、
投入土を転圧等により上から圧して締め固め、しかる後、
立ち上がり部及び平板部のコンクリートを一括して打ち込むことを特徴とする逆スラブ基礎の施工方法。
【請求項２】
前記土留め手段がジオテキスタイルからなり、土留めを、該ジオテキスタイルを用い、型枠に隣接する部分において、土砂の投入とジオテキスタイルの折返しを交互に繰り返すことにより行う請求項１に記載の逆スラブ基礎の施工方法。
【請求項３】
土砂の投入とジオテキスタイルの折返しを、ジオテキスタイルの折返し部分に上下を挟まれた土砂層が上下方向に少なくとも２つ以上となるように交互に繰り返す請求項２に記載の逆スラブ基礎の施工方法。
【請求項４】
土砂の投入とジオテキスタイルの折返しを交互に繰り返すことを特徴とするジオテキスタイルを用いた土留め方法。
【請求項５】
土砂の投入とジオテキスタイルの折返しを、ジオテキスタイルの折返し部分に上下を挟まれた土砂層が上下方向に少なくとも２つ以上となるように交互に繰り返すことを特徴とするジオテキスタイルを用いた土留め方法。
【発明の詳細な説明】
【技術分野】
【０００１】
本発明は、逆スラブ基礎の施工方法及びジオテキスタイルを用いた土留め方法に関する。
【背景技術】
【０００２】
逆スラブ基礎の施工方法として、図６（イ）に示すように基礎立ち上がり部コンクリート５１を打ち込んだ後、図６（ロ）に示すように、基礎立ち上がり部の横に土砂５２を埋め戻してこの土砂５２を転圧等により上から圧して締め固め、しかる後、図６（ハ）に示すように、平板部コンクリート５３の打込みを行う方法が考えられる。
【０００３】
【発明の開示】
【発明が解決しようとする課題】
【０００４】
しかしながら、上記の施工方法では、基礎立ち上がり部コンクリート５１の打込みと平板部コンクリート５３の打込みを時期を異ならせて行い、しかも、土砂５２の埋戻しと転圧を基礎立ち上がり部コンクリート５１の硬化を待って行うため、逆スラブ基礎１の施工に長期間を要するという問題があった。
【０００５】
これは次の理由による。即ち、基礎立ち上がり部５１の横に土砂５２を埋め戻すことをしないのであれば、そもそも、その側の型枠５４が不要であるし、また、立ち上がり部コンクリート５１と平板部コンクリート５３とを一括して打ち込むことができるが、それでは、コンクリートの打設量が多くなり、不経済である。
【０００６】
そこで、型枠５４の横に土砂５２を埋め戻して転圧を行うのであるが、土砂５２の埋戻しと転圧を、型枠５４，５５を設置した後であって基礎立ち上がり部コンクリート５１の打込み前の段階で行うことも考られるが、それでは、土砂５２側の型枠５４が転圧等によって変形したり傾いたりし、ひいては、基礎の立ち上がり部コンクリート５１も変形してしまうおそれが高い。
【０００７】
そのため、基礎立ち上がり部コンクリート５１の打込みを終え、それが硬化した後に、土砂５２の埋戻しと転圧を行うようにしており、それゆえ、上記のように、逆スラブ基礎５６の施工に長期間を要するという問題があった。
【０００８】
本発明は、上記のような問題点に鑑み、コンクリートの打設量を少なく抑えることができ、型枠の変形もなく、しかも、逆スラブ基礎を短工期で施工することができる逆スラブ基礎の施工方法等を提供することを課題とする。
【課題を解決するための手段】
【０００９】
上記の課題は、立ち上がり部コンクリート成形用の両側の型枠を設置した後、
いずれか少なくとも一方の型枠の外側に土砂を投入すると共に、型枠に隣接する部分の土砂を型枠とは別の土留め手段を用いて土留め状態にし、次いで、
投入土を転圧等により上から圧して締め固め、しかる後、
立ち上がり部及び平板部のコンクリートを一括して打ち込むことを特徴とする逆スラブ基礎の施工方法によって解決される。
【００１０】
この施工方法では、立ち上がり部コンクリート成形用の型枠の外側に土砂を投入して締め固めるようにしているので、コンクリートの打設量を少なく抑えることができる。
【００１１】
しかも、型枠に隣接する部分の土砂を型枠とは別の土留め手段を用いて土留め状態にしているので、該投入土を転圧等により上から圧して締め固めても、型枠に大きな土圧がかからず、そのため、型枠内にコンクリートを打つ前に型枠の外に土砂を投入して締め固めても型枠が変形することはない。
【００１２】
そして、このように、立ち上がり部のコンクリートの打込みを土砂の投入と締め固めの後で行うことができることにより、立ち上がり部及び平板部のコンクリートを一括して打ち込むことができ、それにより、逆スラブ基礎を短工期で施工することができる。
【００１３】
前記土留め手段がジオテキスタイルからなり、土留めを、該ジオテキスタイルを用い、型枠に隣接する部分において、土砂の投入とジオテキスタイルの折返しを交互に繰り返すことにより行うとよい。
【００１４】
この場合は、例えば、土のうなどを用いて土留めをする場合に比べて、土を袋詰めにしていく必要もなく、土留め状態を能率良く施工容易に形成していくことができる。とりわけ、ジオテキスタイルを土中に層状に設置していくのに、ジオテキスタイルを折り返す方法を採用しているので、施工が非常に楽である。
【００１５】
土砂の投入とジオテキスタイルの折返しを、ジオテキスタイルの折返し部分に上下を挟まれた土砂層が上下方向に少なくとも２つ以上となるように交互に繰り返す場合は、型枠の側にジオテキスタイルの回り込み部分で堰止められる土砂が深さ方向の少なくとも一部に確実に存在させることができ、土留めの効果を高めることができる。
【００１６】
また、本発明は、土砂の投入とジオテキスタイルの折返しを交互に繰り返すことを特徴とするジオテキスタイルを用いた土留め方法もその内容とする。この方法では、ジオテキスタイルを土中に層状に設置していくのに、ジオテキスタイルを折り返す方法を採用しているので、土留めの施工が非常に楽である。特に、土砂の投入とジオテキスタイルの折返しを、ジオテキスタイルの折返し部分に上下を挟まれた土砂層が上下方向に少なくとも２つ以上となるように交互に繰り返すことで、型枠の側にジオテキスタイルの回り込み部分で堰止められる土砂が深さ方向の少なくとも一部に確実に存在させることができ、土留めの効果を高めることができる。なお、これらの土留め方法に関する発明は、逆スラブ基礎の施工に限らず、土木、建築等の各種分野で広く用いることができるものである。
【発明の効果】
【００１７】
本発明の逆スラブ基礎の施工方法は、以上のとおりのものであるから、コンクリートの打設量を少なく抑えることができ、型枠の変形もなく、しかも、逆スラブ基礎を短工期で施工することができる。また、本発明のジオテキスタイルを用いた土留め方法では、土留めの施工が非常に楽であり、しっかりとした土留め状態を形成することができる。
【発明を実施するための最良の形態】
【００１８】
次に、本発明の実施最良形態を図面に基づいて説明する。
【００１９】
図１は、本発明方法で形成された逆スラブ基礎１を示すもので、図１（イ）は外壁ライン部分を示し、図１（ロ）は間仕切りライン部分を示している。２は立ち上がり部、３は平板部である。
【００２０】
本実施形態では、図１（イ）に示す外壁ライン部分についての施工方法を図２〜図５に基づいて説明していくが、図１（ロ）に示す間仕切りライン部分についても、土砂５を一方の型枠６の外側に投入するか、両方の型枠６，６の外側の投入するかの差があるだけで、施工方法は同様であるので、間仕切りライン部分の説明は省略する。
【００２１】
施工は、図２（イ）に示すように、基礎立ち上がり部を形成する部分の地盤を掘削して地業を行い、捨てコンクリート４の上に立ち上がり部コンクリート成型用の内外の打込み型枠６，７を設置する。次いで、図２（ロ）に示すように、打込み内型枠６の外側に土砂５を投入して埋め戻していくと共に、打込み内型枠６に隣接する部分の土砂５を、打込み内型枠６とは別の土留め手段８を用いて土留め状態にし、図２（ハ）に示すように、投入土５を転圧等により上から圧して締め固める。しかる後、図３（ニ）に示すように、土砂５上に防湿シート９等を設置し、そして、図３（ホ）に示すように、立ち上がり部２及び平板部３のコンクリート１０を一括して打ち込む。
【００２２】
この施工方法によれば、立ち上がり部コンクリート成形用の打込み内型枠６の外側に土砂５を投入して締め固めるようにしているので、その分のコンクリート量を減らすことができて、逆スラブ基礎１の施工においてコンクリート１０の打設量を少なく抑えることができる。しかも、打込み内型枠６に隣接する部分の土砂５を打込み内型枠６とは別の土留め手段８を用いて土留め状態にしているので、投入土５を上から圧して締め固めても、打込み内型枠６に大きな土圧がかからず、そのため、打込み内型枠６内にコンクリート１０を打つ前に打込み内型枠６の外に土砂５を投入して締め固めても打込み内型枠６が変形することはない。そして、このように、立ち上がり部２のコンクリート１０の打込みを土砂５の投入と締固めの後で行うことができることにより、立ち上がり部２及び平板部３のコンクリート１０を一括して打ち込むことができ、それにより、逆スラブ基礎１を短工期で施工することができる。
【００２３】
そして、本実施形態では、上記の土留め手段８がジオテキスタイルからなっており、土留めを、ジオテキスタイル８を用い、打込み内型枠６に隣接する部分において、土砂５の投入とジオテキスタイル８の折返しを交互に繰り返すことにより行っている。
【００２４】
即ち、図４（イ）に示すように、ジオテキスタイル８の一端側を打込み内型枠６に隣接する部分の最底部に敷き、他端側を打込み内型枠６とは反対方向に向けて寝かせる。そして、打込み内型枠隣接部分に土砂５ａを所定量投入する。そして、図４（ロ）に示すように、ジオテキスタイル８を折り返してその投入土５ａの上に沿わせ、他端側を打込み内型枠６の外面部に沿わせるように立ち上げ、再度、打込み内型枠隣接部分に土砂５ｂを投入する。更に、図４（ハ）に示すように、ジオテキスタイル８を折り返して土砂５ｂの上に沿わせ、他端側を打込み内型枠６とは反対方向において寝かせ、再度、打込み内型枠隣接部分に土砂５ｃを投入し、更に、図４（ニ）に示すように、ジオテキスタイル８を折り返して土砂５ｃの上に沿わせ、他端側を打込み内型枠６の外面部に沿わせるように立ち上げ、再度、打込み内型枠隣接部分に土砂５ｄを投入する。これを繰り返し行っていき、図２（ロ）に示すように、土砂５が打込み内型枠６の上端部近傍に達したら、今度は、図２（ハ）に示すように、投入土５を転圧等により上から圧して締め固める。
【００２５】
この締固めにおいて、投入土５は、水平方向に拡がっていこうとするが、それをジオテキスタイル８の各折返し部分８ａ…が阻止しようとして働き、それによって、打込み内型枠６の外面部への土圧は低く抑えられ、締固めによって打込み内型枠６が変形してしまうのが防がれる。
【００２６】
特に、本実施形態では、土砂５の投入とジオテキスタイル８の折返しを、ジオテキスタイルの折返し部分８ａ…に上下を挟まれた土砂層５ａ，５ｂ，…が上下方向に少なくとも２つ以上、図面では６つ備えられており、それによって、打込み内型枠６の側にジオテキスタイル８の回り込み部分８ｂで堰止められる土砂層５ｂ，５ｄ，…が深さ方向の少なくとも一箇所、図面では３箇所に存在し、この打込み内型枠６側のジオテキスタイル８の回り込み部分８ｂ…の堰止め作用で土留め効果が高められ、しっかりとした土留め状態を形成することができる。
【００２７】
また、土砂５の投入とジオテキスタイル８の折返しを交互に繰り返す土留め方法の採用により、土砂の投入と独立したジオテキスタイルの敷設を繰り返していく場合に比べて、各層へのジオテキスタイル８の敷込みを土砂５ａ，５ｂ，５ｃ，…の投入による敷込み補助作用も手伝って適正かつ容易に行っていくことができ、それによってジオテキスタイル８を用いて能率良く施工容易に土留め状態を形成していくことができる。
【００２８】
図５（イ）は、ジオテキスタイル８を、上下の回り込み部分８ａ…間が閉じるように敷き込んでいった場合のもので、打込み内型枠６の外面部に回り込み部分８ａ…間を通じて土圧が掛かかるのを抑えるようにしたものであり、土留めの効果を高めることができる。
【００２９】
図５（ロ）は、ジオテキスタイル８の折り返しを偶数回、本実施形態では２回行うごとに土砂５ａ，５ｂ，５ｃ，…の投入を行うようにしたもので、各層の土砂５ａ，５ｂ，５ｃ，…が打込み内型枠６側においてジオテキスタイル８の回り込み部分８ｂ…を備え、それによって、打込み内型枠６の外面部への土圧を低くし、土留めの効果を高めるようにしている。
【００３０】
以上に、本発明の実施形態を示したが、本発明はこれに限られるものではなく、発明思想を逸脱しない範囲で各種の変更が可能である。例えば、本発明の施工方法では、土留め手段としてジオテキスタイルを用い、投入土間のジオテキスタイルを、折り返して連続させるのではなく、上下で独立させるようにして敷き込んでいくようにしてもよいし、更に、土留め手段は、ジオテキスタイルに限らず、図５（ハ）に示すように土のう１２であってもよいし、発泡スチロール等であってもよい。また、「ジオテキスタイル」の語は、要は、土木、建築等の分野で地盤補強のために土砂中に敷き込まれる面状補強材一般を意味しており、狭義の「ジオテキスタイル」よりも概念は広く、その材質や形態に特段の制限はない。
【図面の簡単な説明】
【００３１】
【図１】図（イ）（ロ）はそれぞれ、本発明方法によって形成される逆スラブ基礎の断面図である。
【図２】図（イ）〜図（ハ）は、図３（ニ）（ホ）と共に、施工方法を順次に示す断面図である。
【図３】図（ニ）及び図（ホ）は、図２（イ）〜（ハ）と共に、施工方法を順次に示す断面図である。
【図４】図（イ）〜図（ニ）は土留め方法を順次に示す断面図である。
【図５】図（イ）〜図（ハ）はそれぞれ、土留め方法の他の実施形態を示す断面図である。
【図６】背景技術を示すもので、図（イ）〜図（ハ）は逆スラブ基礎の従来の施工方法を順次に示す断面図である。
【符号の説明】
【００３２】
１…逆スラブ基礎
２…立ち上がり部
３…平板部
５…土砂
６…打込み内型枠（型枠）
８…ジオテキスタイル（土留め手段）
８ａ…折り返し部分
８ｂ…回り込み部分
１０…コンクリート
１２…土のう（土留め手段）
【図１】
2005105625.tif 000003
【図２】
2005105625.tif 000004
【図３】
2005105625.tif 000005
【図４】
2005105625.tif 000006
【図５】
2005105625.tif 000007
【図６】
2005105625.tif 000008